(57)【特許請求の範囲】
【請求項１】
映像を表示する透過型表示パネルと、
前記透過型表示パネルの背面に位置し、前記透過型表示パネルの表示画面を複数に分割
したエリアごとに配置した調光可能な発光素子を、発光させるバックライトと、
第１の表示期間を持つ映像の輝度を前記エリアごとに算出し、この算出した前記輝度に
応じた光量となるように前記エリアに対応した前記発光素子を駆動するバックライト駆動
部と、を具備し、
前記バックライト駆動部は、前記第１の表示期間を持つ映像において、前記エリアごとに算出した前記輝度を用いて決定した前記エリアごとの前記発光素子の点灯時間の算出値のうち少なくとも１つが第１の閾時間以下の場合には、前記点灯時間の算出値のうち前記第１の閾時間以下の値であるエリアから１つのエリアを選択し、前記選択された１つのエリアに対する前記発光素子の点灯時間の算出値と、前記選択された１つのエリアの前記発光素子の点灯時間に対して前記第１の閾時間以上の値として予め定められた点灯時間の第１の値、前記発光素子を駆動する駆動パラメータの第１の値の更新前の値である駆動パラメータの第２の値とを用いて、前記発光素子を駆動する前記駆動パラメータの第１の値を決定し、
この決定した前記駆動パラメータの第１の値を用いて、前記選択された１つのエリアを除く他のエリアごとの前記発光素子の前記点灯時間の第１の値を決定し、
この決定した前記駆動パラメータの第１の値と前記エリアごとの前記点灯時間の第１の値とを用いて前記発光素子の光量を制御する電子機器。
【請求項２】
前記バックライト駆動部は、前記発光素子を駆動する電流値または電圧値を前記駆動パラメータとする、請求項１に記載の電子機器。
【請求項３】
前記バックライト駆動部は、前記エリアごとの前記発光素子の前記点灯時間の算出値のうち少なくとも１つが前記第１の閾時間以下の場合には、更に、前記点灯時間の算出値のすべてが、前記第１の閾時間より大きい値である第２の閾時間と比べそれ以下である場合に、前記駆動パラメータの第１の値と前記エリアごとの前記発光素子の前記点灯時間の第１の値とを用いて前記発光素子の光量を制御する請求項２に記載の電子機器。
【請求項４】
前記エリアごとの前記発光素子の前記点灯時間の第１の値は、前記駆動パラメータの第１の値に対する、前記第１の表示期間の映像の１つ前の映像の表示期間である第２の表示期間における前記駆動パラメータの第２の値の比の逆数を、前記エリアごとの前記発光素子の前記点灯時間の算出値に乗じた値である請求項１から請求項３のいずれかに記載の電子機器。
【請求項５】
前記駆動パラメータの第１の値及び第２の値と前記エリアごとの前記発光素子の前記点灯時間の算出値とを用いて算出された、前記エリアごとの前記点灯時間の前記第１の値のうち、少なくとも１つが第３の閾時間以上の場合は、前記発光素子の光量を制御する際に、前記駆動パラメータの第１の値と前記エリアごとの前記点灯時間の第１の値とを用いない請求項４に記載の電子機器。
【請求項６】
前記駆動パラメータの第１の値及び第２の値と前記エリアごとの前記発光素子の前記点灯時間の算出値とを用いて算出された、前記エリアごとの前記点灯時間の第１の値のうち、第４の閾時間以上のものは、前記第４の閾時間を超えない任意の値とする請求項４に記載の電子機器。
【請求項７】
映像を表示する透過型表示パネルと、
前記透過型表示パネルの背面に位置し、前記透過型表示パネルの表示画面内を複数に分割したエリアごとに配置した調光可能な発光素子を、発光させるバックライトを備え、
第１の表示期間を持つ映像の輝度を前記エリアごとに算出し、この算出した前記輝度に応じた光量となるように前記エリアに対応した前記発光素子を駆動するバックライトを制御する表示装置に用いられ、
第１の表示期間を持つ前記映像において、前記エリアごとに算出した前記輝度を用いて決定した前記エリアごとの前記発光素子の点灯時間の算出値のうち少なくとも１つが第１の閾時間以下の場合には、前記点灯時間の算出値のうち前記第１の閾時間以下の値であるエリアから１つのエリアを選択し、前記選択された１つのエリアに対する前記発光素子の点灯時間の算出値と、前記選択された１つのエリアの前記発光素子の点灯時間に対して前記第１の閾時間以上の値として予め定められた点灯時間の第１の値、前記発光素子を駆動する駆動パラメータの第１の値の更新前の値である駆動パラメータの第２の値とを用いて、前記発光素子の前記駆動パラメータの第１の値を決定し、
この決定した前記駆動パラメータの第１の値を用いて、前記選択された１つのエリアを除く他のエリアごとの前記発光素子の前記点灯時間の第１の値を決定し、
この決定した前記駆動パラメータの第１の値と前記エリアごとの前記点灯時間の第１の値とを用いて前記発光素子の光量を制御する制御方法。
【請求項８】
前記発光素子を駆動する電流値または電圧値を前記駆動パラメータとする、請求項７に記載の制御方法。
【発明の詳細な説明】
【技術分野】
【０００１】
本発明は、電子機器およびその制御方法に関する。
【背景技術】
【０００２】
近年、高輝度、高コントラストを特徴とするハイダイナミックレンジの表示が可能な液晶表示装置、例えば液晶テレビが開発されている。ハイダイナミックレンジの表示を行うためには、例えば液晶テレビではバックライト制御方法が重要となってくる。
【０００３】
バックライト制御方法の１つとして、バックライトの光源にＬＥＤ(Light Emitting Diode)を使用し、液晶パネルに表示する映像に応じて、バックライト全体の光源の光量を制御する方法（グローバルディミング）がある。
【０００４】
他のバックライト制御の方法としては、液晶表示装置の表示画面を縦横の複数のエリアに分割し、エリアごとに照射するＬＥＤを配置したバックライトの構成とすることで、表示パネルに表示する映像に応じて個々のＬＥＤの照射時間を個別に制御する方法（ローカルディミング）がある。
【先行技術文献】
【特許文献】
【０００５】
【特許文献１】特開２０１３−１４０３２５号公報
【発明の概要】
【発明が解決しようとする課題】
【０００６】
所望の映像を表示した表示パネルにバックライト等の光を透過させることで映像を表示する透過型表示装置、例えば液晶表示装置においては、光漏れの影響で黒色の再現性が低いという問題が存在していた。この問題に対して、例えば上述したようなバックライト制御方法を用いることで引き締まった黒色を表現することが可能となったが、近年の表示の高輝度化に伴う光源の光量の増加により、光漏れの量が大きくなってきている。
【０００７】
この光漏れに対応するために、エリアごとに照射する個々のＬＥＤの照射時間を個別に制御する方法（ローカルディミング）において、照射時間を小さくすることでバックライトの光量をより低くすることも考えられる。しかし、照射時間を制御するために用いる、映像に対する同期信号のジッタや、照射を行うＬＥＤの立ち上がり時間を考慮すると、照射時間が短くなることにより表示画面に表示される映像にちらつきが発生する問題がある。このため、個々のＬＥＤの照射時間をある限界値より小さくすることは出来ず、黒色の再現を十分に行えない場合があった。
【０００８】
そこで本実施形態の目的は、黒色の再現性を十分に行うために、バックライトを構成している個々の光源の照射時間の最適な値が、ある限界値より小さい値であっても、バックライト全体における光源の光量調整（調光）とバックライトを構成している個々の光源ごとの光量の調整（調光）をトータルに制御することで、所望の黒色の再現性を達成する方法について提案することである。
【課題を解決するための手段】
【０００９】
実施形態に係る電子機器は、映像を表示する透過型表示パネルと、前記透過型表示パネルの背面に位置し、前記透過型表示パネルの表示画面を複数に分割したエリアごとに配置した調光可能な発光素子を、発光させるバックライトと、第１の表示期間を持つ映像の輝度を前記エリアごとに算出し、この算出した前記輝度に応じた光量となるように前記エリアに対応した前記発光素子を駆動するバックライト駆動部と、を具備する。
【００１０】
前記バックライト駆動部は、前記第１の表示期間を持つ映像において、前記エリアごとに算出した前記輝度を用いて決定した前記エリアごとの前記発光素子の点灯時間の算出値のうち少なくとも１つが第１の閾時間以下の場合には、前記点灯時間の算出値のうち前記第１の閾時間以下の値であるエリアから１つのエリアを選択し、前記選択された１つのエリアに対する前記発光素子の点灯時間の算出値と、前記選択された１つのエリアの前記発光素子の点灯時間に対して前記第１の閾時間以上の値として予め定められた点灯時間の第１の値、前記発光素子を駆動する駆動パラメータの第１の値の更新前の値である駆動パラメータの第２の値とを用いて、前記発光素子を駆動する前記駆動パラメータの第１の値を決定し、
この決定した前記駆動パラメータの第１の値を用いて、前記選択された１つのエリアを除く他のエリアごとの前記発光素子の前記点灯時間の第１の値を決定し、
この決定した前記駆動パラメータの第１の値と前記エリアごとの前記点灯時間の第１の値とを用いて前記発光素子の光量を制御する。
【図面の簡単な説明】
【００１１】
【図１】実施形態に係る液晶表示装置の構成の一例を示す図である。
【図２】実施形態に係るバックライト制御の一例を示す図である。
【図３】実施形態に係る液晶パネルを複数のエリアに分割した一例を示す図である。
【図４】実施形態に係る駆動電流の値と点灯時間の値とを更新する処理フローの第１の例を示す図である。
【図５】実施形態に係る分割したエリアごとの点灯時間比の値の分布の様子の第１の例を示す図である。
【図６】実施形態に係る駆動電流の値と点灯時間の値とを更新する処理フローの第２の例を示す図である。
【図７】実施形態に係る分割したエリアごとの点灯時間比の値の分布の様子の第２の例を示す図である。
【図８】実施形態に係る駆動電流の値と点灯時間の値とを更新する際の、更新前後における駆動電流の値と点灯時間の値の関係の一例を示す図である。
【図９】実施形態に係る駆動電流の値と点灯時間の値とを更新する処理フローの第２の例を元に、更新前後における点灯時間比の値の変化の一例を示す図である。
【図１０】実施形態に係る駆動電流の値と点灯時間の値とを更新する処理フローの第２の例を元に、更新前後における点灯時間比の値の変化の他の例を示す図である。
【図１１】実施形態に係る駆動電流の値と点灯時間の値とを更新する処理フローの第２の例を元に、更新前後における点灯時間比の値の変化の他の例を示す図である。
【図１２】実施形態に係る液晶パネルにおけるグループとエリアの関係の一例を示す図である。
【図１３】実施形態に係る駆動電流の値と点灯時間の値とを更新する処理フローの第２の例を元に、グループごとに駆動電流を更新する場合の、更新前後における点灯時間比の値の変化の例を示す図である。
【発明を実施するための形態】
【００１２】
以下、実施の形態について、図面を参照して説明する。
【００１３】
図１は、本実施形態に係る表示装置（例えば、液晶表示装置）である、テレビジョン受信装置（以下、テレビ装置と称する）の構成の一例を示す。
【００１４】
テレビ装置１は、入力部（チューナ）１１、信号処理部（ＴＳ分離部）１２、映像処理ブロック２１、音声処理ブロック３１及び主制御ブロック５１、等を含む。
【００１５】
入力部１１には、空間波（地上波あるいは衛星波）を用いて提供される放送を受信するアンテナＡＮＴが接続する。入力部１１に入力する放送等からの外部入力画像は、信号処理部（ＴＳ分離部）１２が、ＴＳ（Transport Stream）すなわち映像信号（ビデオ）及び音声信号（オーディオ）、ならびに制御情報に分離する。なお、制御情報は、例えばＴＳ（ストリーム）の分配規則や内容、スケジュールあるいはタイミング、等を記述したＰＳＩ／ＳＩ（Program Specific Information／（Service Information）、等を含む。
【００１６】
映像信号（ビデオ）は、映像処理ブロック２１の映像デコーダ２２がデコードし、デジタル映像信号（ビデオ出力）として出力する。
【００１７】
映像処理ブロック２１には、液晶表示部（ディスプレイ）２５が接続され、音声処理ブロック３１にはスピーカ３６が接続される。
【００１８】
映像処理ブロック２１は、映像（ビデオ）デコーダ２２、映像（ビデオ）処理部２３及び表示制御部２４、を含む。映像（ビデオ）処理部２３は、映像（ビデオ）デコーダ２２がデコードしたデジタル映像信号を液晶表示部（ディスプレイ）２５が表示可能な所定の解像度及び出力方式の映像データに変換し、表示制御部２４に出力する。表示制御部２４は、送られてきた映像データの内容を液晶表示部（ディスプレイ）２５に表示するために、液晶パネル２１０の液晶の配向状態を制御する液晶駆動処理と、液晶パネル２１０を背面から照射するバックライト２１１の光量制御処理を行う。
【００１９】
なお本実施形態における表示装置は、映像の表示は液晶表示部（ディスプレイ）２５の液晶パネル２１０を用いて行う場合を例として示しているが、所望の映像を表示した表示パネルにバックライト等の光を透過させることで映像を表示する透過型表示装置に用いられる、透過型の表示パネルであれば本実施形態としてはよく、特に液晶パネルに限定されるものではない。
【００２０】
なお、映像（ビデオ）処理部２３がデジタル映像信号を変換した映像データは、液晶表示部（ディスプレイ）２５に表示する、ある時間間隔で並べられた１枚１枚の映像から構成されている。例えば、液晶表示部（ディスプレイ）に表示する映像が毎秒１２０枚の場合、映像データは１／１２０秒の間隔の映像から構成されている。
【００２１】
音声処理ブロック３１は、音声（オーディオ）デコーダ３２、音声（オーディオ）処理部３３、遅延部３４及びＤ−Ａ（Digital to Analog）コンバータ３５、を含む。音声処理部３３は、音声デコーダ３２がデコードしたデジタル音声信号を、スピーカ３６による好適な再生が可能な所定の形式に変換する。Ｄ−Ａコンバータ３５は、音声処理部３３が変換した音声データを、アナログ音声出力データに変換する。これにより、スピーカ３６が可聴音（アナログ音声（オーディオ）出力）を出力する。
【００２２】
また、Ｄ−Ａコンバータ３５に入力する音声信号は、コンテンツの種類に対応して、遅延部３４による所定量（時間）の遅延が制御される。例えばコンテンツがゲームである場合、遅延部３４が規定する遅延（時間）の大きさ（長さ）は、放送信号（番組）を再生する場合に適用する遅延（時間）の大きさ（長さ）よりも小さい（短い）。
【００２３】
操作部６１は、ユーザーによる直接操作に対応する制御コマンドを主制御ブロック５１に入力する。受信部６２は、リモコン端末（リモートコントローラ）７１による指示（操作入力）に対応するコマンドを主制御ブロック５１に入力する。
【００２４】
図２は、図１の表示制御部２４及び液晶表示部（ディスプレイ）２５の詳細な構成を示す図である。表示制御部２４は、映像（ビデオ）処理部２３から映像データが入力されると、入力された映像データを構成する１枚１枚の映像の内容に応じて、液晶パネル２１０の液晶の配向状態を制御する液晶駆動処理と、液晶パネル２１０を背面から照射するバックライト２１１の光量制御処理を行う。液晶駆動処理は液晶駆動部２０１で行われ、光量制御処理はバックライト駆動部２０５で行われる。
【００２５】
液晶パネル２１０は、一対の基板に挟まれた液晶層を有している。バックライト２１１は、液晶パネル２１０の背面に位置し、液晶パネル２１０の表示画面を例えば水平方向・垂直方向に分割した複数のエリアごとに、輝度の調整が可能な発光素子として例えばＬＥＤを配置した構成であるバックライト基板である。
【００２６】
図３は、液晶パネル２１０の表示画面を水平方向、垂直方向に分割した場合の、分割した複数のエリアの様子を示している。液晶パネル２１０が複数のエリアに分割された状態をＳとして、状態Ｓは分割されたエリアＳ１からＳｎで構成されているものとする。各エリアの背面には個々にＬＥＤが配置され、個々のＬＥＤは、個別に照射する光量を調整することが可能である。
【００２７】
バックライト駆動部２０５は、輝度算出部２０２、駆動電流・点灯時間決定部２０３及び駆動電流・点灯時間制御部２０４からなる。
【００２８】
輝度算出部２０２は、映像（ビデオ）処理部２３から入力された映像の、図３に示す分割されたエリアＳ１からＳｎのエリアごとの例えばピーク輝度の算出を行う。輝度算出部２０２は、エリアＳ１からＳｎのエリアごとのピーク輝度の算出処理を実施後、この算出結果を駆動電流・点灯時間決定部２０３に出力する。
【００２９】
駆動電流・点灯時間決定部２０３は、輝度算出部２０２から受信したエリアＳ１からＳｎのエリアごとのピーク輝度の算出結果を用いて、エリアＳ１からＳｎのエリアごとに照射するＬＥＤにおける、全エリア共通の駆動電流の値とエリアごとの点灯時間の値とを更新する。駆動電流・点灯時間決定部２０３は、この更新した駆動電流の値と、エリアごとの点灯時間の値とを駆動電流・点灯時間制御部２０４に出力する。
【００３０】
なお本実施形態では、発光素子を駆動する駆動パラメータとして、駆動電流を用いて説明するが、駆動電流に限定されるものではなく駆動電圧でもよい。
【００３１】
駆動電流・点灯時間制御部２０４は、駆動電流・点灯時間決定部２０３から入力されたエリアＳ１からＳｎのエリアごとに照射するＬＥＤにおける、全エリア共通の駆動電流の値とエリアごとの点灯時間の値とを用いて、各ＬＥＤが照射する光量の制御を行う。この各ＬＥＤが照射する光量の制御は、例えばパルス幅変調（ＰＷＭ：Pulse Width Modulation）によって制御が行われる。
【００３２】
図４は、駆動電流・点灯時間決定部２０３において、全エリア共通の駆動電流の値と、エリアごとの点灯時間の値とを更新する処理フローの第１の例を示したものである。駆動電流・点灯時間決定部２０３は、輝度算出部２０２からエリアＳ１からＳｎのエリアごとのピーク輝度の算出結果を受信すると、エリアＳ１からＳｎのエリアごとに照射するＬＥＤにおける、全エリア共通の駆動電流の値とエリアごとの点灯時間の値とを更新する処理を開始する。
【００３３】
駆動電流・点灯時間決定部２０３は、輝度算出部２０２から受信したエリアＳ１からＳｎのエリアごとのピーク輝度を用いて、エリアＳ１からＳｎのエリアごとのＬＥＤの点灯時間の最適値を算出する（ステップＳ１）。駆動電流・点灯時間決定部２０３は、この算出したエリアごとの点灯時間の最適値から、１枚の映像の表示期間に対する点灯時間の比（以下、点灯時間比と呼ぶ）をエリアごとに算出し、この算出したエリアごとの点灯時間比の少なくとも１つの値が、点灯時間比の下限値として決められた値ｔＬ以下である（以下、条件１と呼ぶ）か否かの判断を行う（ステップＳ２）。
【００３４】
なお点灯時間比の下限値ｔLは、液晶表示装置（ディスプレイ）２５に表示する映像の同期信号のジッタや、バックライト２１１の光源を点灯させるときの立ち上がり時間等から適宜決められる値である。
【００３５】
駆動電流・点灯時間決定部２０３は、算出したエリアごとの点灯時間比の少なくとも１つの値が点灯時間比の下限値として決めた閾値ｔＬ以下である、という条件１を満たすと判断した場合（ステップＳ２のＹｅｓの場合）、全エリア共通の駆動電流の値とエリアごとの点灯時間の値との更新処理を実施する。条件１を満たさないと判断した場合（ステップＳ２のＮｏの場合）、駆動電流・点灯時間決定部２０３は、駆動電流の更新を行わずに、１つ前の表示期間の映像において駆動電流・点灯時間制御部２０４に出力した駆動電流の値と、ステップＳ１で算出したエリアごとの点灯時間の最適値とを、駆動電流・点灯時間制御部２０４に出力する値として設定し（ステップＳ６）、この設定した値を駆動電流・点灯時間制御部２０４に出力する（ステップＳ７）。駆動電流・点灯時間制御部２０４は、駆動電流・点灯時間決定部２０３から入力された駆動電流の値とエリアごとの点灯時間の値を用いて、バックライト２１１の制御を行う。
【００３６】
全エリア共通の駆動電流の値とエリアごとの点灯時間の値との更新処理を実施する場合、駆動電流・点灯時間決定部２０３は、ステップＳ１で算出されたエリアＳ１からＳｎのエリアごとの点灯時間の最適値に対する点灯時間比の値の分布の様子を考慮して、全エリア共通の値として駆動電流の値を更新する（ステップＳ３）。駆動電流の値を更新後、駆動電流・点灯時間決定部２０３は、更新後の駆動電流の値と、ステップＳ１で算出されたエリアごとの点灯時間の最適値とを用いて、エリアごとの点灯時間の値の更新を行う（ステップＳ４）。点灯時間の値の更新が完了すると、駆動電流・点灯時間決定部２０３は、ステップＳ３で更新した全エリア共通の駆動電流の値と、ステップＳ４で更新したエリアごとの点灯時間の値とを、駆動電流・点灯時間制御部２０４に出力する値として設定し（ステップＳ５）、この設定した値を駆動電流・点灯時間制御部２０４に出力する（ステップＳ７）。駆動電流・点灯時間制御部２０４は、駆動電流・点灯時間決定部２０３から入力された駆動電流の値とエリアごとの点灯時間の値を用いて、バックライト２１１の制御を行う。
【００３７】
なお図４の例では、ステップＳ２においてエリアごとの点灯時間比を用いて条件１を満たす／満たさないの判定を行っているが、エリアごとの点灯時間を用いて条件１を満たす／満たさないの判定を行ってもよい。
【００３８】
図５は、縦軸を点灯時間比、横軸をエリアＳ１からＳｎとした場合の、ある表示期間の１枚の映像における、エリアＳ１からＳ４のエリアごとのピーク輝度から算出した点灯時間の最適値に対する点灯時間比の値の分布の様子の第１の例を示している。図中のｔLは、図４に示す下限値ｔLを示している。仮に下限値ｔL＝５［％］とし、映像の表示期間＝１／１２０［ｓ］の場合、下限値ｔLが示す点灯時間は（１／１２０）×０．０５＝約０．４［ｍｓ］となる。
【００３９】
ここで図５（Ａ）は、エリアＳ１からＳｎのエリアごとの点灯時間比が、すべて下限値ｔLよりも大きい値である場合の点灯時間比の値の分布の一例である。また図５（Ｂ）は、エリアＳ１からＳｎのエリアごとの点灯時間比の値の少なくとも１つが、下限値ｔL以下である場合のエリアごとの点灯時間比の値の分布の様子の一例である。
【００４０】
図５（Ａ）の分布の例は、図４のステップＳ２における駆動電流及び点灯時間の更新処理を実施する条件１を満たさないため、駆動電流・点灯時間決定部２０３は、駆動電流の更新処理を行わず、ステップＳ６、ステップＳ７のエリアＳ１からＳｎのエリアごとの点灯時間の値の更新処理のみを行った後に更新処理を終了させる。また、図５（Ｂ）の分布の例は、図４のステップＳ２における駆動電流及び点灯時間の更新処理を実施する条件１を満たすため、駆動電流・点灯時間決定部２０３は、ステップＳ３、ステップＳ４、ステップＳ５、ステップＳ７の全エリア共通の駆動電流の値とエリアＳ１からＳｎのエリアごとの点灯時間の値の更新処理を行った後に更新処理を終了させる。
【００４１】
図６は、駆動電流・点灯時間決定部２０３において、全エリア共通の駆動電流の値と、エリアごとの点灯時間の値とを更新する処理フローの第２の例を示したものである。処理フローの第１の例との違いは、第１の例の条件１に加え、下限値ｔLより大きい値である閾値ｔ１を持ち、駆動電流及び点灯時間の更新処理を実行するか否かの判断に、この閾値ｔ１を加味している点である。
【００４２】
駆動電流・点灯時間決定部２０３は、輝度算出部２０２からエリアＳ１からＳｎのエリアごとのピーク輝度の算出結果を受信すると、エリアＳ１からＳｎのエリアごとに照射するＬＥＤにおける、全エリア共通の駆動電流の値とエリアごとの点灯時間の値とを更新する処理を開始する。
【００４３】
駆動電流・点灯時間決定部２０３は、輝度算出部２０２から受信したエリアＳ１からＳｎのエリアごとのピーク輝度を用いて、エリアＳ１からＳｎのエリアごとのＬＥＤの点灯時間の最適値を算出する（ステップＳ１１）。駆動電流・点灯時間決定部２０３は、この算出したエリアごとの点灯時間の最適値から点灯時間比をエリアごとに算出し、この算出したエリアごとの点灯時間比の、少なくとも１つの値が点灯時間比の下限値ｔＬ以下である（条件１）か否かの判断と全ての値が閾値ｔ１以下である（以下、条件２と呼ぶ）か否かの判断とを行う（ステップＳ１２）。
【００４４】
駆動電流・点灯時間決定部２０３は、算出したエリアごとの点灯時間比の、少なくとも１つの値が点灯時間比の下限値ｔＬ以下である条件１と、全ての値が閾値ｔ１以下である条件２の両方を満たすと判断した場合（ステップＳ１２のＹｅｓの場合）、全エリア共通の駆動電流の値及び点灯時間の値の更新処理を実施する。条件１と条件２の少なくとも１つを満たさないと判断した場合（ステップＳ１２のＮｏの場合）、駆動電流・点灯時間決定部２０３は、駆動電流の更新を行わずに、１つ前の映像の表示期間において駆動電流・点灯時間制御部２０４に出力した駆動電流の値と、ステップＳ１１で算出したエリアごとの点灯時間の最適値とを、駆動電流・点灯時間制御部２０４に出力する値として設定し（ステップＳ１６）、この設定した値を駆動電流・点灯時間制御部２０４に出力する（ステップＳ１７）。駆動電流・点灯時間制御部２０４は、駆動電流・点灯時間決定部２０３から入力された駆動電流の値とエリアごとの点灯時間の値を用いて、バックライト２１１の制御を行う。
【００４５】
全エリア共通の駆動電流の値とエリアごとの点灯時間の値との更新処理を実施する場合、駆動電流・点灯時間決定部２０３は、ステップＳ１１で算出されたエリアＳ１からＳｎのエリアごとの点灯時間の最適値に対する点灯時間比の値の分布の様子を考慮して、全エリア共通の値として駆動電流の値を更新する（ステップＳ１３）。駆動電流の値を更新後、駆動電流・点灯時間決定部２０３は、更新後の駆動電流の値と、ステップＳ１１で算出されたエリアごとの点灯時間の最適値とを用いて、エリアごとの点灯時間の値の更新を行う（ステップＳ１４）。点灯時間の値の更新が完了すると、駆動電流・点灯時間決定部２０３は、ステップＳ１３で更新した全エリア共通の駆動電流の値と、ステップＳ１４で更新したエリアごとの点灯時間の値とを、駆動電流・点灯時間制御部２０４に出力する値として設定し（ステップＳ１５）、この設定した値を駆動電流・点灯時間制御部２０４に出力する（ステップＳ１７）。駆動電流・点灯時間制御部２０４は、駆動電流・点灯時間決定部２０３から入力された駆動電流の値とエリアごとの点灯時間の値を用いて、バックライト２１１の制御を行う。
【００４６】
図７は、縦軸を点灯時間比、横軸をエリアＳ１からＳｎとした場合の、ある表示期間の１枚の映像における、エリアＳ１からＳ４のエリアごとのピーク輝度から算出した点灯時間の最適値に対する点灯時間比の値の分布の様子の第２の例を示している。図中のｔ1は、図６に示す閾値ｔ1を示している。またｔLは、図６に示す下限値ｔLを示している。仮に閾値ｔ1＝２５［％］、映像の表示期間＝１／１２０［ｓ］の場合、閾値ｔ1が示す点灯時間は（１／１２０）×０．２５＝約２［ｍｓ］となる。
【００４７】
ここで図７（Ａ）は、エリアＳ１からＳｎのエリアごとの点灯時間比の値が、すべて閾値ｔ1以下の値で、かつすべて下限値ｔLよりも大きい値である場合の点灯時間比の値の分布の一例である。また図７（Ｂ）は、エリアＳ１からＳｎのエリアごとの点灯時間比の値がすべて閾値ｔ1以下で、かつエリアＳ１からＳｎのエリアごとの点灯時間比の値の少なくとも１つが、下限値ｔL以下である場合のエリアごとの点灯時間比の値の分布の一例である。
【００４８】
図７（Ａ）の分布の例は、図６のステップＳ１２における駆動電流及び点灯時間の更新処理を実施する条件１を満たさないため、駆動電流・点灯時間決定部２０３は、駆動電流の更新処理を行わず、ステップＳ１６、ステップＳ１７のエリアＳ１からＳｎのエリアごとの点灯時間の値の更新処理のみを行った後に、更新処理を終了させる。また、図７（Ｂ）の分布の例は、図６のステップＳ１２における駆動電流及び点灯時間の更新処理を実施する条件１及び条件２を満たすため、駆動電流・点灯時間決定部２０３は、ステップＳ１３、ステップＳ１４、ステップＳ１５、ステップＳ１７の全エリア共通の駆動電流の値とエリアＳ１からＳｎのエリアごとの点灯時間の値の更新処理を行った後に、更新処理を終了させる。
【００４９】
図４のステップＳ４及び図６のステップＳ１４において実施する、更新した駆動電流の値とエリアＳ１からＳｎのエリアごとの点灯時間の最適値とを用いて、エリアＳ１からＳｎのエリアごとの点灯時間の値を更新する処理は、更新処理の前後において、１枚の映像の表示期間における各エリアのＬＥＤの光量が変わらないようにするために、更新後の点灯時間の値が、更新前の駆動電流の値に対する更新後の駆動電流の値の比の逆数を、更新前の点灯時間の値に乗じた値であることが望ましい。これによりエリアＳ１からＳｎのエリアごとのＬＥＤの光量は、駆動電流及び点灯時間の更新の前後で同じとなり、エリアＳ１からＳｎのエリアごとの明るさは維持される。この明るさを維持するための更新前後の駆動電流と点灯時間の関係について図８を用いて説明する。
【００５０】
図８は、駆動電流及び点灯時間の更新の前後において、１枚の映像の表示期間における各エリアのＬＥＤの光量が変わらないようにするための、駆動電流の値と点灯時間の値の更新前後における関係を図示したものである。図８（Ａ）が、更新前の駆動電流と点灯時間の関係を示している場合、更新後の駆動電流と点灯時間の関係は、図８（Ｂ）に示すようになることが望ましい。つまり、更新前の駆動電流の値＝α［ｍＡ］に対して、仮に更新後の駆動電流の値＝α／２[ｍＡ］と更新前の駆動電流の値の５０［％］に設定した場合、更新後の点灯時間の値は、更新前の点灯時間＝β［ｓ］に対して点灯時間＝２β［ｓ］というように、更新前後において、駆動電流の値と点灯時間の値とを乗じた値＝α・βと同一であることが望ましい。
【００５１】
なお点灯時間比は、点灯時間＝１枚の映像の表示期間×点灯時間比の関係から、点灯時間と比例関係にある。したがって、更新前後の駆動電流の値と点灯時間の値において、駆動電流の値と点灯時間の値を乗じた値が同じであるなら、駆動電流の値と点灯時間比の値を乗じた値も同じとなる。つまり、駆動電流と点灯時間の更新前後の関係は、駆動電流と点灯時間比の更新前後の関係と同じとなる。
【００５２】
次に、図６に示した駆動電流の値及び点灯時間の値を更新する処理フローの第２の例に基づいて、図８に示した駆動電流及び点灯時間の更新前後の関係を用いて、更新後の全エリア共通の駆動電流の値と、エリアごとの点灯時間の値とを更新する処理の流れについて説明する。
【００５３】
図９（Ａ）は、ある表示期間の１枚の映像における、エリアＳ１からＳ４のエリアごとのピーク輝度から算出した点灯時間の最適値に対する点灯時間比の値の分布の様子を示している。エリアＳ１の点灯時間比＝２０［％］、エリアＳ２の点灯時間比＝１５［％］、エリアＳ３の点灯時間比＝９［％］、エリアＳ４の点灯時間比＝４［％］、であるとする。なお、バックライト２１１は、液晶パネル２１０をＳ１からＳ４の４つにエリアに分割した各エリアの背面に、それぞれＬＥＤを配置した構成とする。
【００５４】
駆動電流・点灯時間決定部２０３は、輝度算出部２０２からエリアＳ１からＳ４のエリアごとのピーク輝度の算出結果を受信すると、エリアＳ１からＳ４のエリアごとに照射するＬＥＤにおける、全エリア共通の駆動電流の値とエリアごとの点灯時間の値とを更新する処理を開始する。
【００５５】
駆動電流・点灯時間決定部２０３は、輝度算出部２０２から受信したエリアＳ１からＳ４のエリアごとのピーク輝度を用いて、エリアＳ１からＳ４のエリアごとのＬＥＤの点灯時間の最適値を算出する（ステップＳ１１）。駆動電流・点灯時間決定部２０３は、この算出したエリアごとの点灯時間の最適値から点灯時間比をエリアごとに算出し、この算出したエリアごとの点灯時間比の、少なくとも１つの値が点灯時間比の下限値ｔＬ以下である（条件１）か否かの判断と全ての値が閾値t１以下である（条件２）か否かの判断とを行う（ステップＳ１２）。図９（Ａ）に示す点灯時間比の値の分布の場合、エリアＳ１からＳ４のエリアごとの全ての点灯時間比が閾値ｔ１以下であり、かつエリアＳ４の点灯時間比が下限値ｔＬ以下であるので、ステップＳ１２の条件１及び条件２を満たすため、駆動電流・点灯時間決定部２０３は、駆動電流の値と点灯時間の値との更新処理に移る。
【００５６】
駆動電流・点灯時間決定部２０３は、図９に示すＬＥＤの点灯時間の最適値に対する点灯時間比の値の分布の様子を考慮して、全エリア共通の値として駆動電流の値を更新する（ステップＳ１３）。ここで更新後の駆動電流の値は、点灯時間比の値が一番小さいものに注目し、この点灯時間比の値が下限値ｔＬ以上の値になるように更新することが望ましい。また、更新後の駆動電流の値と点灯時間の値は、図８に示した駆動電流の値と点灯時間の値の関係を用いて決定することが望ましい。
【００５７】
以下、エリアＳ４の点灯時間比の値と、図８に示した駆動電流の値と点灯時間の値の更新前後の関係を用いて、更新後の全エリア共通の駆動電流の値とエリアごとの点灯時間の値とを算出する処理の流れについて説明する。
【００５８】
更新前の駆動電流の値＝α１［ｍＡ］、更新後の駆動電流の値＝α２［ｍＡ］とする。またエリアＳ４の点灯時間の最適値に対する点灯時間比＝４［％］であり、更新後の点灯時間比の下限値ｔＬ＝５［％］とする。この場合、図８に示した駆動電流及び点灯時間の更新前後の関係から、４×α１＝５×α２、の関係が成立する。この関係を用いることで、更新後の駆動電流の値α２＝（４／５）×α１が算出される（ステップＳ１３）。ここで、更新前の駆動電流の値＝α１は、更新後の駆動電流及び点灯時間を用いてバックライトの制御を行う表示期間の映像の、１つ前の表示期間の映像における駆動電流であり、バックライト２１１を制御するために既に駆動電流・点灯時間制御部２０４に設定されている駆動電流の値である。以上より、更新後の駆動電流の値＝α２を求めることが出来る。
【００５９】
全エリア共通の駆動電流の値が更新されると、駆動電流・点灯時間決定部２０３は、更新後の駆動電流α２の値とステップＳ１１で算出したエリアごとの点灯時間の最適値とを用いて、エリアごとの点灯時間の値の更新を行う（ステップＳ１４）。更新前のエリアＳｎ（ｎ＝１から４）の点灯時間の値＝β１［ｎ］［秒］、更新後のエリアＳｎ（ｎ＝１から４）の点灯時間の値＝β２［ｎ］［秒］とすると、図８に示した駆動電流の値と点灯時間の値の更新前後の関係から、α１×β１［ｎ］＝α２×β２［ｎ］が成立するように、エリアＳｎ（ｎ＝１から４）の点灯時間の更新を行うことが望ましい。ステップＳ１３で算出した更新前後の駆動電流の関係であるα２＝（４／５）×α１を用いると、β１［ｎ］とβ２［ｎ］の関係はβ２［ｎ］＝（５／４）×β１［ｎ］となる。ここで、更新前の点灯時間＝β１［ｎ］は、ステップＳ１１で算出されたエリアＳ１からＳ４のエリアごとの点灯時間の最適値である。以上より、更新後のエリアＳ１からＳ４のエリアごとの更新後の点灯時間＝β２［ｎ］（ｎ＝１から４）を求めることが出来る。
【００６０】
図９（Ｂ）は、図９（Ａ）の点灯時間の最適値に対する点灯時間比の値の分布の様子に対して、更新後のエリアごとの点灯時間β２［ｎ］（ｎ＝１から４）に対する点灯時間比の値の分布の様子を示している。各エリアにおける点灯時間比の図９（Ａ）から（Ｂ）の変化の様子は、エリアＳ４の点灯時間比の値が、更新前は下限値ｔL未満だったのが更新後は下限値ｔLと同じ値になっており、その他のエリアの更新後の点灯時間比の値も、下限値ｔL以上になっている。このように、エリア共通の駆動電流の値を下げることで、エリアごとの点灯時間の値を増やすことが出来、この結果エリアごとの点灯時間の値を下限値以上にすることが出来る。
【００６１】
図１０（Ａ）は、図９（Ａ）と同様に、ある表示期間の１枚の映像における、エリアＳ１からＳ４のエリアごとのピーク輝度から算出した点灯時間の最適値に対する点灯時間比の値の分布の様子を示した他の例である。エリアＳ１の点灯時間比＝２３［％］、エリアＳ２の点灯時間比＝１５［％］、エリアＳ３の点灯時間比＝２．５［％］、エリアＳ４の点灯時間比＝１［％］、であるとする。なお、バックライト２１１は、液晶パネル２１０をＳ１からＳ４の４つにエリアに分割した各エリアの背面に、それぞれＬＥＤを配置した構成とする。この例を用いて、更新後の全エリア共通の駆動電流の値と、エリアごとの点灯時間の値とを算出する処理の流れについて説明する。
【００６２】
更新後の駆動電流は、図９（Ａ）の場合と同様に、点灯時間比の値が一番小さいものに注目し、この点灯時間比の値が下限値ｔＬ以上の値になるように更新することが望ましい。また、更新後の駆動電流の値と更新後の点灯時間の値は、図８に示した駆動電流の値と点灯時間の値の関係を用いて決定することが望ましい。
【００６３】
ここで、更新前の駆動電流＝α３［ｍＡ］、更新後の駆動電流＝α４［ｍＡ］とする。またエリアＳ４の点灯時間の最適値に対する点灯時間比＝１［％］であり、更新後の点灯時間比が下限値ｔＬ＝５［％］とする。この場合、図８に示した駆動電流及び点灯時間の更新前後の関係から、１×α３＝５×α４、の関係が成立する。この関係を用いることで、更新後の駆動電流の値α４＝（１／５）×α３が算出される（ステップＳ１３）。ここで、更新前の駆動電流の値＝α３は、更新後の駆動電流及び点灯時間を用いてバックライトの制御を行う表示期間の映像の、１つ前の表示期間の映像における駆動電流であり、バックライト２１１を制御するために既に駆動電流・点灯時間制御部２０４に設定されている駆動電流の値である。以上より、更新後の駆動電流α４を求めることが出来る。
【００６４】
全エリア共通の駆動電流の値が更新されると、駆動電流・点灯時間決定部２０３は、更新後の駆動電流α４の値とステップＳ１１で算出したエリアごとの点灯時間の最適値とを用いて、エリアごとの点灯時間の値の更新を行う（ステップＳ１４）。更新前のエリアＳｎ（ｎ＝１から４）の点灯時間＝β３［ｎ］［秒］、更新後のエリアＳｎ（ｎ＝１から４）の点灯時間の値＝β４［ｎ］［秒］とすると、図８に示した駆動電流の値と点灯時間の値の更新前後の関係から、α３×β３［ｎ］＝α４×β４［ｎ］が成立するように、エリアＳｎ（ｎ＝１から４）の点灯時間の更新を行うことが望ましい。ステップＳ１３で算出した更新前後の駆動電流の関係であるα４＝（１／５）×α３を用いると、β３［ｎ］とβ４［ｎ］の関係はβ４［ｎ］＝（５／１）×β３［ｎ］となる。ここで、更新前の点灯時間＝β３［ｎ］は、ステップＳ１１で算出されたエリアＳ１からＳ４のエリアごとの点灯時間の最適値である。以上より、更新後のエリアＳ１からＳ４のエリアごとの点灯時間のβ４［ｎ］（ｎ＝１から４）を求めることが出来る。
【００６５】
図１０（Ｂ）は、図１０（Ａ）の点灯時間の最適値に対する点灯時間比の値の分布の様子に対して、更新後のエリアごとの点灯時間β４［ｎ］（ｎ＝１から４）に対する点灯時間比の値の分布の様子を示している。β４［ｎ］＝（５／１）×β３［ｎ］の関係から導かれた更新後のエリアごとの点灯時間β４［ｎ］（ｎ＝１から４）に対する点灯時間比の値は、図中の「○」の分布の様子になる。
【００６６】
ここで、エリアＳ１の点灯時間比の値が１００［％］を超えた値となっている。これは、エリアＳ１における点灯時間が、１枚の映像の表示期間を超えた値となっていることを意味している。このような点灯時間の値は、バックライト２１１の点灯時間の制御の観点から望ましくない。
【００６７】
そこで、駆動電流・点灯時間決定部２０３は、点灯時間比の値が１００［％］を超えたエリアの点灯時間だけ、映像の表示期間を超えない任意の値とするように、点灯時間の補正を行う。図１０（Ｂ）の例は、図中の「□」が点灯時間を補正した結果の点灯時間比の値を表している。図の例では、エリアＳ１における補正後の点灯時間比を９０［％］となるように補正している。これにより、ピーク輝度が低いエリアであるＳ４においては、更新後は点灯時間比の値は下限値ｔLを上回り、暗部の映像に対するダイナミックレンジを広げることが可能となる。
【００６８】
或いは、駆動電流及び点灯時間の更新を行った場合に、更新後の点灯時間の点灯時間比が１００［％］を超える場合は、この映像の表示期間においては、駆動電流の更新処理は行わず、エリアごとの点灯時間の更新だけを行う、という方法もある。エリアごとの点灯時間の更新は、輝度算出部２０２から受信したエリアＳ１からＳ４のエリアごとのピーク輝度の算出結果から得られた点灯時間の最適値を用いる。ただし、エリアごとの点灯時間比が下限値ｔＬを下回るエリアの点灯時間に関しては、更新後の点灯時間を下限値以上の任意の値とする。図１１にその具体例を示す。
【００６９】
図１１（Ａ）は、図１０（Ａ）と同様に、ある表示期間の１枚の映像におけるエリアＳ１からＳ４のエリアごとのピーク輝度から算出した点灯時間の最適値に対する点灯時間比の分布の様子を示している。各エリアの点灯時間比は、図１０（Ａ）の場合と同様に、エリアＳ１の点灯時間比＝２３［％］、エリアＳ２の点灯時間比＝１５［％］、エリアＳ３の点灯時間比＝２．５［％］、エリアＳ４の点灯時間比＝１［％］、であるとする。
【００７０】
図１１（Ａ）の点灯時間比の値の分布に対して、図１０（Ｂ）で説明した手順と同様に駆動電流及び点灯時間の更新処理を行うと、エリアＳ１の点灯時間比の値が１００［％］を超えた値となる。そこで、この表示期間の映像に対しては、駆動電流の更新処理は行わずに、エリアごとの点灯時間の更新だけを行うこととする。
【００７１】
具体的には、この表示期間の映像おけるエリアＳ１からＳ４のエリアごとのピーク輝度から算出した点灯時間の最適値を用いて、エリアＳ１からＳ４のエリアごとの点灯時間だけの更新を行う。ただし点灯時間の最適値に対する点灯時間比が、下限値ｔＬを下回るエリアに関しては、点灯時間比が下限値ｔＬ以上の任意の値となるように、点灯時間の補正を行う。図１１（Ｂ）の例は、図中の「□」が点灯時間を補正した結果の点灯時間比の値を示している。図の例では、エリアＳ３とエリアＳ４における補正後の点灯時間比が、下限値ｔＬである５［％］となるように補正されている。
【００７２】
或いは、駆動電流及び点灯時間の更新を行った場合に、更新後の点灯時間に対する点灯時間比が１００［％］を超える場合は、この１枚の映像の表示期間おける駆動電流及び点灯時間の更新処理の結果による駆動電流の値とエリアごとの点灯時間の値を用いずに、表示期間が１つ前の映像において算出された駆動電流の値と各エリアの点灯時間の値を用いて、バックライト２１１を制御してもよい。
【００７３】
なお、下限値として決められた値ｔＬは、５０［％］より小さい値であることが望ましい。これは、下限値ｔＬが大きいと、各エリアの点灯時間比の値の分布が大小バラバラの場合でも駆動電流および点灯時間の更新処理が行われる確率が増え、その結果図１０（Ｂ）に示すような、点灯時間比が１００［％］を超えるエリアが多くなり、結果的に高輝度部分の映像が適切に表現されなくなるためである。
【００７４】
以上のようにバックライト制御することで、特に暗部の映像においては輝度のダイナミックレンジを広げることが可能となる。また、駆動電流の更新は、液晶パネル２１０の表示画面を分割したエリアを照射するＬＥＤごとに実施するのではなく、すべてのＬＥＤに対して一様に更新するため、安価な方法で暗部の映像における輝度のダイナミックレンジを広げることが可能となる。ローカルディミングでは、ＬＥＤの点灯時間の調整が行われているが、暗部の映像に対応するために点灯時間を短くしていくと、映像の表示期間のずれ等の影響を受けやすくなり、輝度が不安定になる傾向が高い。そこで実施形態で示したように、ローカルディミングである点灯時間の調整と、グローバルディミングである駆動電流の調整を、条件に応じて組み合わせることで、暗部の映像における輝度のダイナミックレンジの改善に大きな効果を生むことが出来る。
【００７５】
なお本実施例では、駆動電流の更新は、全エリア共通の値として更新を行う説明をしたが、複数のエリアを１つのグループとして扱ってもよい。この場合、複数のエリアを１つのグループにしたそのグループごとに駆動電流の更新を行い、更新したグループごとの駆動電流の値を用いて、そのグループに属するエリアごとの点灯時間の値を更新するようにしてもよい。
【００７６】
図１２は、表示パネル２１０の表示画面がＳ１からＳ４の４つのエリアに分割されている場合、エリアＳ１とＳ２を１つのグループであるグループ１とし、エリアＳ３とＳ４を１つのグループであるグループ２とした場合の、グループとエリアの関係を示している。
【００７７】
なお、グループの数は、エリアの数より少ない数であればよく、どのエリアとどのエリアを１つのグループにするか、また１つのグループにいくつのエリアが属するかは適宜決めてよい。例えば、表示パネル２１０の中心部分のエリアを１つのグループにし、その他の部分のエリアを他のグループにしてもよい。また、表示パネル２１０の４隅のエリアを１つのグループにし、その他のエリアを他のグループにしてもよい。
【００７８】
図１３は、図１２に示すグループ１とグループ２のグループごとに駆動電流の更新を行い、グループごとに更新した駆動電流の値を用いて、そのグループに属するエリアの点灯時間の値の更新を行った場合の一例を示している。図１３（Ａ）が、ある表示期間の１枚の映像におけるエリアＳ１からＳ４のエリアごとのピーク輝度から算出した点灯時間の最適値に対する点灯時間比の値の分布の様子を示している。また、図１３（Ｂ）が、更新後の点灯時間に対する点灯時間比の値の分布の様子を示している。
【００７９】
図１３（Ａ）に示すグループ１に属するエリアＳ１とＳ２の点灯時間の最適値に対する点灯時間比の値は、どれも下限値ｔＬ＝５［％］を下回らないので、図６の駆動電流の値と点灯時間の値とを決定する処理フローの第２の例の場合においては、ステップＳ１６の処理による、エリアごとの点灯時間の値だけの更新が行われる。グループ２に属するエリアＳ３とＳ４の点灯時間比の値は、すべて閾値ｔ１＝１５［％］を下回りかつ少なくとも１つが下限値ｔＬ＝５［％］を下回るのでステップＳ１３からステップＳ１５の処理の処理による、駆動電流の値と点灯時間の値の更新が行われる。
【００８０】
このように、複数のエリアを１つのグループにしたグループごとに駆動電流の値の更新を行うことで、更に細かくバックライトを制御することも可能であり、暗部の映像における輝度のダイナミックレンジの改善に更なる効果を生むことが出来る。
【００８１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８２】
１・・・テレビ装置、２３・・・映像（ビデオ）処理部、２４・・・表示制御部、２５・・・液晶表示部（ディスプレイ）、２０１・・・液晶駆動部、２０２・・・輝度算出部、２０３・・・駆動電流・点灯時間決定部、２０４・・・駆動電流・点灯時間制御部、２０５・・・バックライト駆動部、２１０・・・液晶パネル、２１１・・・バックライト
【図１】
0006588857.tif 000002
【図２】
0006588857.tif 000003
【図３】
0006588857.tif 000004
【図４】
0006588857.tif 000005
【図５】
0006588857.tif 000006
【図６】
0006588857.tif 000007
【図７】
0006588857.tif 000008
【図８】
0006588857.tif 000009
【図９】
0006588857.tif 000010
【図１０】
0006588857.tif 000011
【図１１】
0006588857.tif 000012
【図１２】
0006588857.tif 000013
【図１３】
0006588857.tif 000014